(57)【要約】【課題】  データを正確に設定することができ、かつ設定データをアナログ信号で受け取るアーク溶接電源に組み合わせることができるアーク溶接電源の手元操作箱を提供すること。【解決手段】  溶接電流値Ｉと溶接電圧値Ｖをエンコーダ１２，１３により、デジタル値で設定する。そして、デジタル値で設定された設定値をＤ／Ａ変換器１６，１７によりアナログ値に変換し、アーク溶接電源に接続される出力端子１に出力する。  この場合、ＣＰＵ１１と記憶装置とを設け、複数の設定値を互いに識別できるようにして記憶するように構成すると、さらに効果的である。【選択図】図１
2005125352.tif 000002
【特許請求の範囲】
【請求項１】
設定された設定値をデジタル値で出力する設定手段と、
前記設定値を表示する表示手段と、
前記設定値をＤ／Ａ変換するＤ／Ａ変換器と、
アーク溶接電源の入力端子に接続される出力端子と、を備え、
前記設定値をアナログ値に変換して前記出力端子に出力する
ことを特徴とするアーク溶接電源の手元操作箱。
【請求項２】
演算装置と記憶装置とを設け、複数の前記設定値を互いに識別できるようにして記憶することを特徴とする請求項１に記載のアーク溶接電源の手元操作箱。
【発明の詳細な説明】
【技術分野】
【０００１】
本発明は、アーク溶接電源の出力を設定するためのアーク溶接電源の手元操作箱に関するものである。
【背景技術】
【０００２】
溶接電流値とアーク電圧値あるいはパルス電流値とベース電流値などを遠隔で設定できるようにするため、ガスシールドアーク溶接を行う場合に使用されるアーク溶接電源には手元操作箱が設けられている。
【０００３】
図３は、従来の手元操作箱の構成図である。
同図に示すように、手元操作箱１００には可変抵抗１０１および１０２が配置されており、それぞれにより設定されたアナログ電圧は、溶接電流値指令Ｉおよびアーク電圧値指令Ｖとして手元操作箱１００の入力端子３のピン１ａ、１ｂに出力される。なお、出力端子１のピン１ｃには基準電圧Ｖに接続され、ピン１ｄはグランド（アース）Ｇに接続される。
【０００４】
出力端子１に出力された溶接電流値指令Ｉおよびアーク電圧値指令Ｖは、出力端子１に接続されるアーク溶接電源２の入力端子３（なお、入力端子３のピン１ａ〜１ｄの配列は出力端子１のピン配列と同じである。）を介してアーク溶接電源２に出力される。そして、アーク溶接電源２は、加工時、溶接電流値とアーク電圧値とが指令された溶接電流値指令Ｉおよびアーク電圧値指令Ｖに近づくように出力を制御する。
【０００５】
また近年では、手元操作箱１００に溶接電流値指令Ｉおよびアーク電圧値指令Ｖをデジタル値で設定する条件設定部と、設定された値を記憶する条件記憶部と、を設け、設定データをデジタル信号でアーク溶接電源に指令するようにしたアーク溶接電源と手元操作箱を組み合わせた例もある（例えば、特許文献１参照。）。
このように、設定データをデジタル信号にすると、溶接条件を精度良く再現できるので、溶接品質を向上させることができた。
【０００６】
【特許文献１】特開２００２−２９２４６５号公報
【発明の開示】
【発明が解決しようとする課題】
【０００７】
上記アナログ電圧を指令値として出力する手元操作箱は構成が簡単で、広汎な機種に採用されているが、溶接電流値やアーク電圧値を正確に設定することは困難であるため、溶接品質がばらついた、
【０００８】
一方、設定データをデジタル信号で出力するようにした手元操作箱は、設定データをデジタル信号で受け取ることができるアーク溶接電源にしか組み合わせることができないため、設定データをアナログ信号で受け取るアーク溶接電源に組み合わせることはできない。
【０００９】
本発明の目的は、データを正確に設定することができ、かつ設定データをアナログ信号で受け取るアーク溶接電源に組み合わせることができるアーク溶接電源の手元操作箱を提供するにある。
【課題を解決するための手段】
【００１０】
上記の課題を解決するため、本発明は、アーク溶接電源の手元操作箱として、設定された設定値をデジタル値で出力する設定手段と、前記設定値を表示する表示手段と、前記設定値をＤ／Ａ変換するＤ／Ａ変換器と、アーク溶接電源の入力端子に接続される出力端子と、を備え、前記設定値をアナログ値に変換して前記出力端子に出力することを特徴とする。
【００１１】
この場合、演算装置と記憶装置とを設け、複数の前記設定値を互いに識別できるようにして記憶するように構成することができる。
【発明の効果】
【００１２】
設定値をデジタル値とするので、設定値をアナログ値とする場合に比べて条件の設定を確実に行うことができる。また、指令値をアナログ値として出力するので、従来から使用されているアーク溶接電源とも組み合わせて使用することができる。
【発明を実施するための最良の形態】
【００１３】
図１は、本発明に係るアーク溶接電源の手元操作箱の接続図であり、図３と同じものは同一の符号を付してある。
図において、手元操作箱１０のＣＰＵ１１には、回転式パルス信号発生器（以下、「エンコーダ」という。）１２，１３、スイッチ１４、不揮発性メモリ１５、Ｄ／Ａ変換器１６，１７および表示器１８が接続されている。Ｄ／Ａ変換器１６とピン１ａとの間には増幅器１９が、Ｄ／Ａ変換器１７とピン１ｂとの間には増幅器２０が、それぞれ接続されている。また、直流電源２１はＣＰＵ１１、表示器１８およびＤ／Ａ変換器１６，１７に電力を供給する。
【００１４】
エンコーダ１２，１３は、図示を省略する操作軸を右回転させれると加算パルス信号を、左回転させれると減算パルス信号を、ＣＰＵ１１に出力する。なお、ここでは、エンコーダ１２により溶接電流を、エンコーダ１３によりアーク電圧を設定するように構成されている。
【００１５】
ＣＰＵ１１は入力されたパルスによりＣＰＵ１１内の記憶回路に割り当てられたカウンタ用メモリの内容を加算／減算して、現在の設定値を求め、この設定値に基いて、指令信号をＤ／Ａ変換器１６、１７へ出力する。
【００１６】
スイッチ１４は、溶接条件を不揮発性メモリ１５に記憶させる場合、不揮発性メモリ１５に記憶されている条件を呼出す場合等をＣＰＵ１１に指示する。
【００１７】
Ｄ／Ａ変換器１６、１７は、ＣＰＵ１１から入力されたデジタル信号をアナログ電圧に変換して増幅器１９，２０へ出力する。
【００１８】
増幅器１９，２０は、Ｄ／Ａ変換器１６、１７から入力されたアナログ電圧を溶接装置の指令信号として必要な電圧に増幅し、それぞれ電流指令・電圧指令として出力端子１へ出力する。
【００１９】
不揮発性メモリ１５はＣＰＵ１１の指令に基づき、エンコーダ１２，１３で設定された溶接条件等の記憶、または記憶内容の更新を行う。不揮発性メモリ１５に記憶された内容は、直流電源２１がＯＦＦされた場合でも保持される。
【００２０】
表示器１８は液晶表示器であり、ＣＰＵ１１からの指令に基き、エンコーダ１２，１３で設定された値、スイッチ１４で選択された内容を表示する。
【００２１】
なお、出力端子１のピン１ｃは空き端子になっている。
【００２２】
次に、動作を説明する。
図２は、本発明の動作を示すフローチャートである。
電源直流をオンすると、ＣＰＵはデータを初期化した後（手順Ｓ１００）、後述する最終データを不揮発性メモリ１５から読み込み、読み込んだデータを初期値として記憶し、その値を表示器１８に表示させると共に出力端子１に出力する（手順Ｓ１１０）。
【００２３】
次に、記憶条件の選択、すなわち不揮発性メモリ１５に記憶されている他の溶接条件の呼び出しが指示されているかどうかをスイッチ１４の状態（例えば、切り替え位置）から確認する（手順Ｓ１２０）。そして、溶接条件の呼び出しが指示されていない場合は直ちに手順Ｓ１５０の処理を行い、また、溶接条件の呼び出しが指示されている場合は、選択された条件を呼び出し（手順Ｓ１３０）、その値を表示器１８に表示させると共に出力端子１に出力した後（手順Ｓ１４０）、手順Ｓ１５０の処理を行う。
【００２４】
手順Ｓ１５０では、エンコーダ１２が操作されたかどうかを確認し、操作された場合には、現在値に出力されたパルスを加算した値を電流値として表示器１８に表示させると共に出力端子１に出力した後（手順Ｓ１６０）、その他の場合直ちに手順Ｓ１７０の処理を行う。
【００２５】
手順Ｓ１７０では、エンコーダ１３が操作されたかどうかを確認し、操作された場合には、現在値に出力されたパルスを加算した値を電圧値として表示器１９に表示させると共に出力端子１に出力した後（手順Ｓ１８０）、その他の場合直ちに手順Ｓ１９０の処理を行う。
【００２６】
手順１９０では、現在設定されている電流値と電圧値とを不揮発メモリ１５に記憶する。
【００２７】
次に、現在の条件の記憶が指示されているかどうかをスイッチ１４の状態から確認し（手順Ｓ２００）、指示されていない場合は直接、また、指示されている場合は、記憶する条件番号を選択し（手順Ｓ２１０）、選択した条件番号と現在の電流値と電圧値とを１組にして記憶した後（手順Ｓ２２０）、手順Ｓ２３０の処理を行う。
【００２８】
手順Ｓ２３０では、作業が終了であるかどうかを確認し、作業が継続である場合は手順Ｓ１２０の処理を行い、その他の場合は処理を終了する。
【００２９】
なお、ここではエンコーダ１２，１３を個別に設定するようにしたが、例えば、ワイヤ径と材質に基づく溶接条件のデータを不揮発メモリ１５に予め記憶させておき、一方を決定することにより他方を追従させるようにしてもよい。
【００３０】
また、エンコーダ１２，１３の角度変更に応じて直ちにデータを変更するようにしたが、確定スイッチを設け、値を変更した後、確定スイッチにより変更した値を確定するようにしてもよい。
【００３１】
また、エンコーダ１２，１３に代えてアナログボリュームとＡ／Ｄ変換器を用いてもよい。すなわち、アナログボリュームにより設定された電圧をＡ／Ｄ変換器でデジタル値に置きかえるように構成することもできる。なお、エンコーダ１２，１３に代えてアナログボリュームとＡ／Ｄ変換器を用いる場合、直流電源２１がオフされても０点が不明になることはないので、図２における手順１９０を省略することができる。
【００３２】
また、消耗電極を用いるアーク溶接機の場合、溶接電流はワイヤ送給量の指令により従属的に変化するので、電流値指令をワイヤ送給量の指令値に置き換えて出力するようにしてもよい。
【００３３】
また、直流電源２１は電池でもよいし、商用の１００Ｖ電源から発生させるようにしてもよい。また、別ユニットとして、手元操作箱の小型・軽量化を図るようにしてもよい。
【００３４】
そして、手元操作箱の出力端子のピン配列を従来の手元操作箱の出力端子のピン配列を同じにしているので、従来のアーク溶接電源にも適用することができる。
【図面の簡単な説明】
【００３５】
【図１】本発明に係るアーク溶接電源の手元操作箱の接続図である。
【図２】本発明の動作を示すフローチャートである。
【図３】従来のアーク溶接電源の手元操作箱の接続図である。
【符号の説明】
【００３６】
１  出力端子
１１  ＣＰＵ
１２，１３  エンコーダ
１６，１７  Ｄ／Ａ変換器
Ｉ  溶接電流値
Ｖ  溶接電圧値
【図１】
2005125352.tif 000003
【図２】
2005125352.tif 000004
【図３】
2005125352.tif 000005